(57)【要約】【課題】消火の際に建物等に損傷を与えることなく、遠くまで消火用の液体を飛翔させることができる消火システムを提供する。【解決手段】ミスト生成装置１は、液体チャンバー２と、気体チャンバー３と、ミストチャンバー４と、加速室５と、流速調整バルブ６とを備え、液体チャンバー２とミストチャンバー４との隔壁には多数の細孔７が形成されると共に、ミストチャンバー４と加速室５との隔壁にも多数の細孔８が形成され、さらに、気体チャンバー３と加速室５との間に、狭いギャップ９が形成されている。ここで、ミストチャンバー４に導入される液滴の速度ベクトルＶｌｉｑｕｉｄと、気流の速度ベクトルＶｇｕｓ　とは、Ｖｇｕｓ　＞Ｖｌｉｑｕｉｄである。ミストチャンバー４内では、液滴に気流が強く衝突し、液滴を非常に微細な水粒子に分断し、ミストを生成する。このとき、ガス圧は、約８ｂａｒなので、消火に使用したときに、家屋や器物を損傷しない。【選択図】　図１
2004050128.tif 000002
【特許請求の範囲】
【請求項１】
液体を多数の細孔を有するノズルによって液滴に分割して所定のスペースに吐出し、このスペースに対して、気体流を前記液滴の飛翔方向に対して交差又は対向する方向から吐出することにより、前記液滴に前記気体流を衝突させて液滴を分断し、微細な液体粒子からなるミストを生成することを特徴とするミスト生成方法。
【請求項２】
請求項１記載のミスト生成方法において、
前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすることを特徴とするミスト生成方法。
【請求項３】
請求項１又は請求項２記載のミスト生成方法において、
前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とすることを特徴とするミスト生成方法。
【請求項４】
請求項１又は請求項２記載のミスト生成方法において、
前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して追尾する方向とすることを特徴とするミスト生成方法。
【請求項５】
液体を噴霧する多数の細孔を有するノズルと、
前記ノズルによって内部に液体を噴霧されるチャンバーと、
前記チャンバーに対して、気体流を前記液滴の飛翔方向に対して交差又は対向する方向から導入する気体導入口と
を備えていることを特徴とするミスト生成装置。
【請求項６】
請求項５記載のミスト生成装置において、
前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくしたこと
を特徴とするミスト生成装置。
【請求項７】
請求項５又は請求項６記載のミスト生成装置において、
前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とする様に、前記ノズルと前記吐出口とを配置したこと
を特徴とするミスト生成装置。
【請求項８】
請求項５又は請求項６記載のミスト生成装置において、
前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して追尾する方向とする様に、前記ノズルと前記吐出口とを配置したこと
を特徴とするミスト生成装置。
【請求項９】
消火用の液体を収容する液体タンクと、
圧縮空気を収容する圧力ボンベと、
前記消火用の液体を吐出する消火銃と、
前記液体タンクから前記消火銃へと消火用の液体を供給する液体供給路と、
前記圧力ボンベから前記消火銃へと気体を供給する気体供給路と、
前記消火銃内に設けられ、前記液体供給路から供給される液体を液滴化して導入すると共に、前記気体供給路から供給される圧縮空気を、前記液滴の飛翔方向に対して交差又は対向する方向から衝突させることによって液滴を分断して微細な液体粒子からなるミストを生成するミストチャンバーと、
前記消火銃内に設けられ、前記ミストチャンバーで生成されたミストを、前記圧力ボンベから供給される圧縮空気に乗せて吐出する加速部と
を備えていることを特徴とする消火システム。
【請求項１０】
請求項９記載の消火システムにおいて、
前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすることを特徴とする消火システム。
【請求項１１】
請求項９又は請求項１０記載の消火システムにおいて、
前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とすることを特徴とする消火システム。
【請求項１２】
消火用の液体を収容する液体タンクと、
圧縮空気を収容する圧力ボンベと、
前記消火用の液体を吐出する消火銃と、
前記液体タンクから前記消火銃へと前記消火用の液体を供給する液体ホースと、
前記圧力ボンベから前記消火銃へと前記圧縮空気を供給する気体ホースと、
前記消火銃内に設けられ、前記液体ホースとの接続部分に設けられる液体インレットと、
前記消火銃内に設けられ、前記気体ホースと接続される気体インレットと、
前記消火銃内に設けられ、前記液体インレットと連通する液体チャンバーと、
前記消火銃内に設けられ、前記気体インレットと連通する気体チャンバーと、
前記液体チャンバー内の水を多数の細孔を介して液滴として導入されるミストチャンバーと、
前記消火銃内に設けられ、前記気体チャンバー内の前記圧縮空気を、前記液滴の飛翔方向に対して交差又は対向する方向から衝突させることによって液滴を分断して微細な液体粒子からなるミストを生成する様に、前記気体チャンバーから前記ミストチャンバーへと前記圧縮空気を導入させる、少なくとも一つ以上の気体導入口と、
前記消火銃内に設けられ、前記ミストチャンバー内に発生したミストを吸い出して、圧縮空気によって加速するミスト加速部と
を備えていることを特徴とする消火システム。
【請求項１３】
請求項１２記載の消火システムにおいて、
前記気体インレットを介して供給される圧縮空気の一部を分岐させて前記ミスト加速部にも供給する様にしたことを特徴とする消火システム。
【請求項１４】
請求項１２又は請求項１３記載の消火システムにおいて、
前記ミスト加速部に供給される圧縮空気を、該ミスト加速部の上流において絞りを利用して加速する気体加速部を備えていること
を特徴とする消火システム。
【請求項１５】
請求項１２〜請求項１４のいずれか記載の消火システムにおいて、
前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすることを特徴とする消火システム。
【請求項１６】
請求項１２〜請求項１４のいずれか記載の消火システムにおいて、
前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とすることを特徴とする消火システム。
【請求項１７】
消火用の液体を供給する液体供給源と、
気体を供給する気体供給源と、
前記液体供給源から供給される液体を液滴化して導入すると共に、前記気体供給源から供給される気体を、前記液滴の飛翔方向に対して対向する方向から衝突させることによって液滴を分断して微細な液体粒子からなるミストを生成するミスト生成部と
を有する消火用スプリンクラー。
【請求項１８】
作物に対して散布する散布液を供給する液体供給源と、
気体を供給する気体供給源と、
前記液体供給源から供給される散布液を液滴化して導入すると共に、前記気体供給源から供給される気体を、前記液滴の飛翔方向に対して対向する方向から衝突させることによって液滴を分断して微細な液体粒子からなるミストを生成するミスト生成部と、
該ミスト生成部で生成されたミストを噴霧する噴霧手段と
を有する農業用薬剤散布装置。
【請求項１９】
水を供給する液体供給源と、
気体を供給する気体供給源と、
前記液体供給源から供給される水を液滴化して導入すると共に、前記気体供給源から供給される気体を、前記液滴の飛翔方向に対して対向する方向から衝突させることによって液滴を分断して微細な液体粒子からなるミストを生成するミスト生成部と、
該ミスト生成部で生成されたミストを散布する散布手段と
を有する農業用灌水システム。
【請求項２０】
可燃性の液体を供給する液体供給源と、
気体を供給する気体供給源と、
前記液体供給源から供給される可燃性の液体を液滴化して導入すると共に、前記気体供給源から供給される気体を、前記液滴の飛翔方向に対して対向する方向から衝突させることによって液滴を分断して微細な液体粒子からなるミストを生成するミスト生成部と、
該ミスト生成部で生成されたミストを吐出するミスト吐出部と
を有するバーナー。
【請求項２１】
クーラント液を供給する液体供給源と、
気体を供給する気体供給源と、
前記液体供給源から供給されるクーラント液を液滴化して導入すると共に、前記気体供給源から供給される気体を、前記液滴の飛翔方向に対して対向する方向から衝突させることによって液滴を分断して微細な液体粒子からなるミストを生成するミスト生成部と、
該ミスト生成部で生成されたミストを機体の後方に向かって噴霧するミスト噴霧手段と
を有し、ジェット機に搭載されるミサイル回避装置。
【請求項２２】
クーラント液を供給する液体供給源と、
気体を供給する気体供給源と、
前記液体供給源から供給されるクーラント液を液滴化して導入すると共に、前記気体供給源から供給される気体を、前記液滴の飛翔方向に対して対向する方向から衝突させることによって液滴を分断して微細な液体粒子からなるミストを生成するミスト生成部と、
該ミスト生成部で生成されたミストを加工部位に向かって噴霧するミスト噴霧手段と
を有する工作機械用冷却装置。
【発明の詳細な説明】
【０００１】
【発明の属する技術分野】
本発明は、ミスト生成方法、ミスト生成装置、及びこれらを応用した消火システム、消火用スプリンクラー、農業用薬剤散布装置、農業用灌水システム、バーナー、及びミサイル回避装置に関する。
【０００２】
【従来の技術】
従来、インパルス消火システムと呼ばれる消火システムが知られている。このインパルス消火システムは、水や消火薬剤の微細な粒子を、燃えている物質に高速度で打ち込むことで消火を行うものである。このインパルス消火システムにおいて用いられる消火銃は、可搬式であり、火災現場に迅速に到着できること、少量の消火液でありながら、消火液を高圧空気によって噴射することにより、発射された微細な水滴は、火元の奥深くまで侵入し、瞬時に消火できるという特徴がある（例えば、特開２０００−９３５３５）。
【０００３】
【発明が解決しようとする課題】
しかし、インパルス消火銃では、高圧の圧縮空気を使用するため、１５０ｋｇｆ／ｃｍ２　〜３００ｋｇ／ｃｍ２　の高圧ボンベが必要になるという問題がある。また、消火の際に、水や消火薬剤が対象物に衝撃的に衝突することから、家屋等に損傷を与えるという問題もある。一方、こうした損傷を回避する一つの方法として空気圧を低下させる対策が考えられる。しかし、空気圧を下げると、飛翔距離が短くなるため消火活動に支障を来すという問題もある。
【０００４】
そこで、本発明は、消火の際に建物等に損傷を与えることなく、遠くまで消火用の液体を飛翔させることができる消火システムを提供することを目的とし、かかる目的を達成する前提技術として、種々の分野に応用可能な新規なミスト生成方法を提供することを第１の目的とする。
【０００５】
また、本発明は、種々の分野に応用可能な新規なミスト生成装置を提供することを第２の目的とする。
【０００６】
そして、本発明は、消火の際に建物等に損傷を与えることなく、遠くまで消火用の液体を飛翔させることができる消火システムを提供することを第３の目的とする。
【０００７】
さらに、本発明は、消火効率の高い消火用スプリンクラーを提供することを第４の目的とする。
【０００８】
加えて、本発明は、薬剤散布効率の高い農薬散布装置を提供することを第５の目的とする。
【０００９】
加えて、本発明は、農業用水を節約できる農業用灌水システムを提供することを第６の目的とする。
【００１０】
加えて、本発明は、燃焼効率の高いバーナーを提供することを第６の目的とする。
【００１１】
加えて、本発明は、赤外線追尾ミサイルを回避するためのミサイル回避装置を提供することを第７の目的とする。
【００１２】
加えて、本発明は、工作機械における冷却効果を高めることを第８の目的とする。
【００１３】
【課題を解決するための手段】
かかる第１の目的を達成するためになされた本発明のミスト生成方法は、液体を多数の細孔を有するノズルによって液滴に分割して所定のスペースに吐出し、このスペースに対して、気体流を前記液滴の飛翔方向に対して交差又は対向する方向から吐出することにより、前記液滴に前記気体流を衝突させて液滴を分断し、微細な液体粒子からなるミストを生成することを特徴とする。
【００１４】
本発明のミスト生成方法によれば、微細なミストを容易に生成することができる。この微細なミストは、消火に用いると、炎をしっかりと包み込む。従って、空気を遮断する効果が高く、迅速な鎮火に役立つ。また、微細なミストなので、これを遠くまで飛ばすのに高圧の気体を用いなくてよい。よって、消火の際に建物や器物を損傷することがない。また、農薬や植物活性剤などの散布剤を本発明の方法でミスト化することにより、少量で広い範囲の作物に薬剤散布を可能にする。これにより、薬剤の使用量を少なくすることで環境破壊を防止し、人体への悪影響を抑制することができる。さらに、本発明方法によって可燃性の液体をミスト化すれば、燃焼効率の高いバーナーを実現することができる。加えて、本発明方法でミスト化したクーラント液をジェット戦闘機の後方に散布すれば、空中に噴射された燃焼ガスを冷却し、赤外線追尾型ミサイルに対するカモフラージュ効果を発揮する。
【００１５】
ここで、本発明のミスト生成方法において、前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすることが望ましい。
【００１６】
こうすることで、気体の運動エネルギーを大きくし、衝突によって生じる液滴分断能力を高め、より微細なミストを生成することができるからである。
【００１７】
また、本発明のミスト生成方法において、前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とするとよい。
【００１８】
こうすることで、気体の運動エネルギーをより効率的に液滴にぶつけることができ、液滴の微細化効果が高まる。
【００１９】
なお、本発明のミスト生成方法において、前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して追尾する方向とすることもできる。
【００２０】
こうした場合、液滴を分断しようとする気体の運動エネルギーは相対的に小さくなる。従って、液滴をあまりに小さくし過ぎると困る場合に採用するとよい。
【００２１】
また、第２の目的を達成するためになされた本発明のミスト生成装置は、液体を噴霧する多数の細孔を有するノズルと、前記ノズルによって内部に液体を噴霧されるチャンバーと、前記チャンバーに対して、気体流を前記液滴の飛翔方向に対して交差又は対向する方向から導入する気体導入口とを備えていることを特徴とする。
【００２２】
この本発明のミスト生成装置によれば、ノズルを介してチャンバーに液体を噴霧することでは、チャンバー内に多数の液滴を発生させる。そして、このチャンバーに対して、気体導入口から気体を導入すると、この気体流が液滴の飛翔方向に対して交差又は対向する衝突し、液滴を分断して微細なミストを生成する。
【００２３】
本発明のミスト生成装置においても、ミスト生成方法と同様に、前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすることで、液滴の微細化の効果が高くなる。
【００２４】
また、本発明のミスト生成装置において、前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とする様に、前記ノズルと前記気体導入口とを配置することで、やはり液滴の微細化の効果を高めることができる。
【００２５】
さらに、本発明のミスト生成装置において、前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して追尾する方向とする様に、前記ノズルと前記気体導入口とを配置する場合は、微細化し過ぎを防止することができる。
【００２６】
また、上記第３の目的を達成するためになされた本発明の消火システムは、消火用の液体を収容する液体タンクと、圧縮空気を収容する圧力ボンベと、前記消火用の液体を吐出する消火銃と、前記液体タンクから前記消火銃へと消火用の液体を供給する液体供給路と、前記圧力ボンベから前記消火銃へと気体を供給する気体供給路と、前記消火銃内に設けられ、前記液体供給路から供給される液体を液滴化して導入すると共に、前記気体供給路から供給される圧縮空気を、前記液滴の飛翔方向に対して交差又は対向する方向から衝突させることによって液滴を分断して微細な液体粒子からなるミストを生成するミストチャンバーと、前記消火銃内に設けられ、前記ミストチャンバーで生成されたミストを、前記圧力ボンベから供給される圧縮空気に乗せて吐出する加速部とを備えていることを特徴とする。
【００２７】
この本発明の消火システムによれば、液体タンク内の消火用液体（水又は消火剤）を、液体供給路を介して液体タンクから消火銃へと供給し、圧力ボンベ内の圧縮空気を、気体供給路を介して消火銃へと供給し、液体の方は、ミストチャンバー内に液滴化して導入し、圧縮空気の方は、ミストチャンバー内に、液滴の飛翔方向に対して交差又は対向する方向から衝突させる様に導入する。これにより、ミストチャンバー内では、液滴に気流が衝突し、液滴を分断して微細な液体粒子からなるミストを生成する。こうして生成されたミストを、加圧部において、圧力ボンベから供給される圧縮空気に乗せ、消火銃から吐出する。この本発明の消火システムによれば、消火用の液体を微細なミストとして飛ばすことができるので、圧縮空気は低圧のもので十分である。ミストが微細なことにより、消火の効果においては、炎をしっかりと包み込んで酸素の供給を遮断し、かつ、気化熱によって熱を奪う結果、迅速な鎮火が行われる。また、搬送用の気体は高圧ではないので、火災が発生している建物や内部の器物等を損傷することがないという効果も発揮される。さらに、空気を使って搬送し、かつ、インパルス式消火システムと違って連続的にこの空気を火災現場に送り込むことになるので、火災現場に取り残された人に対して酸素を供給する効果も発揮する。なお、この酸素は火災を助長する方向には作用しない。何故なら、炎は、ミスト状の消火用液体によって包まれてしまうからである。人への酸素供給源としての空気は、このミストで被われた炎の方にではなく、その周囲へ広がり、人命救助に一役を買うことになる。また、この消火活動において使用される水の量を減らすことができるので、消火後の建物の現状復帰が容易である。
【００２８】
また、この本発明の消火システムにおいて、前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすることによって、消火液の微細化をより高めることができる。
【００２９】
また、本発明の消火システムにおいて、前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とすることによっても、消火液の微細化効果を高めることができる。
【００３０】
また、同じく上記第３の目的を達成するためになされた本発明のより具体的な消火システムは、消火用の液体を収容する液体タンクと、圧縮空気を収容する圧力ボンベと、前記消火用の液体を吐出する消火銃と、前記液体タンクから前記消火銃へと前記消火用の液体を供給する液体ホースと、前記圧力ボンベから前記消火銃へと前記圧縮空気を供給する気体ホースと、前記消火銃内に設けられ、前記液体ホースとの接続部分に設けられる液体インレットと、前記消火銃内に設けられ、前記気体ホースと接続される気体インレットと、前記消火銃内に設けられ、前記液体インレットと連通する液体チャンバーと、前記消火銃内に設けられ、前記気体インレットと連通する気体チャンバーと、前記液体チャンバー内の水を多数の細孔を介して液滴として導入されるミストチャンバーと、前記消火銃内に設けられ、前記気体チャンバー内の前記圧縮空気を、前記液滴の飛翔方向に対して交差又は対向する方向から衝突させることによって液滴を分断して微細な液体粒子からなるミストを生成する様に、前記気体チャンバーから前記ミストチャンバーへと前記圧縮空気を導入させる、少なくとも一つ以上の気体導入口と、前記消火銃内に設けられ、前記ミストチャンバー内に発生したミストを吸い出して、圧縮空気によって加速するミスト加速部とを備えていることを特徴とする。
【００３１】
この本発明のより具体的な消火システムによれば、液体タンク内の消火用の液体を、液体ホースを介して消火銃に供給し、これと共に、圧力ボンベ内の圧縮空気を、気体ホースを介して消火銃に供給する。すると液体は、液体インレット、及び液体チャンバーを経てミストチャンバーに液滴化した状態で導入される。一方、圧縮空気は、気体インレット、気体チャンバー、及び気体導入口を経てミストチャンバーへ導入される。すると、圧縮空気によってミストチャンバー内に形成された気流は、液滴の飛翔方向に対して交差又は対向する方向から衝突し、液滴を分断して微細な液体粒子からなるミストが生成される。このミストは、ミスト加速部で圧縮空気によって加速され、遠方まで吐出される。微細なミストによる高い消化能力を発揮するにも拘わらず、火災現場においては、建物や器物への損傷を減らし、さらに、逃げ遅れた人への酸素の供給をも実行することができる。
【００３２】
この本発明のより具体的な消火システムにおいて、前記気体インレットを介して供給される圧縮空気の一部を分岐させて前記ミスト加速部にも供給する様にすることで、吐出用の圧縮空気とミスト生成用の圧縮空気とを共通化することができる。
【００３３】
また、本発明のより具体的な消火システムにおいて、前記ミスト加速部に供給される圧縮空気を、該ミスト加速部の上流において絞りを利用して加速する気体加速部を備える様にすると、圧縮空気の圧力は、益々下げても構わなくなる。
【００３４】
また、本発明のより具体的な消火システムにおいて、前記液滴の流速及び飛翔方向をベクトルＶｌｉｑｕｉｄとし、前記気体の流速及び飛翔方向をＶｇｕｓ　とするとき、Ｖｇｕｓ　の大きさを、Ｖｌｉｑｕｉｄよりも大きくすれば、より微細なミストを得る効果が高くなる。
【００３５】
また、本発明のより具体的な消火システムにおいて、前記液滴の流速及び飛翔方向をベクトルＶｌｉｑｕｉｄとし、前記気体の流速及び飛翔方向をＶｇｕｓ　とするとき、Ｖｇｕｓ　の方向を、システムにおいて可能な限り、Ｖｌｉｑｕｉｄに対して正面から対向する方向とすることによっても、ミストの微細化が可能である。
【００３６】
また、上記第４の目的を達成するためになされた本発明の消火用スプリンクラーは、消火用の液体を供給する液体供給源と、気体を供給する気体供給源と、前記液体供給源から供給される液体を液滴化して導入すると共に、前記気体供給源から供給される気体を、前記液滴の飛翔方向に対して対向する方向から衝突させることによって液滴を分断して微細な液体粒子からなるミストを生成するミスト生成部とを有する。
【００３７】
この本発明の消火用スプリンクラーによれば、微細なミストが天井から降り注ぐ状態を作ることができ、炎を包み込んで消火を効率よく実行できる。また、この消火活動において使用される水の量を減らすことができるので、消火後の建物の現状復帰が容易である。
【００３８】
また、上記第５の目的を達成するためになされた本発明の農業用薬剤散布装置は、作物に対して散布する散布液を供給する液体供給源と、気体を供給する気体供給源と、前記液体供給源から供給される散布液を液滴化して導入すると共に、前記気体供給源から供給される気体を、前記液滴の飛翔方向に対して対向する方向から衝突させることによって液滴を分断して微細な液体粒子からなるミストを生成するミスト生成部と、該ミスト生成部で生成されたミストを噴霧する噴霧手段とを有する。
【００３９】
この本発明の農業用薬剤散布装置によれば、作物に対して散布する散布液を微細なミストにして作物に噴霧することができるので、散布による効果を高めると共に、散布する薬剤の使用量を減らすことができる。そして、農薬であれば、その使用量を抑制することで作物への残留を抑えることで一般消費者の健康を守り、農業従事者の健康を守りながらも、収穫量の増大に寄与することができる。
【００４０】
また、上記第６の目的を達成するためになされた本発明の農業用灌水システムは、水を供給する液体供給源と、気体を供給する気体供給源と、前記液体供給源から供給される水を液滴化して導入すると共に、前記気体供給源から供給される気体を、前記液滴の飛翔方向に対して対向する方向から衝突させることによって液滴を分断して微細な液体粒子からなるミストを生成するミスト生成部と、該ミスト生成部で生成されたミストを散布する散布手段とを有する。
【００４１】
本発明の農業用灌水システムによれば、水をミストにして散布することで作物を傷めることなく灌水を行うことができる。また、ミスト化することで、温室等においては、冷却効果を発揮するという利点もある。
【００４２】
また、上記第７の目的を達成するためになされた本発明のバーナーは、可燃性の液体を供給する液体供給源と、気体を供給する気体供給源と、前記液体供給源から供給される可燃性の液体を液滴化して導入すると共に、前記気体供給源から供給される気体を、前記液滴の飛翔方向に対して対向する方向から衝突させることによって液滴を分断して微細な液体粒子からなるミストを生成するミスト生成部と、該ミスト生成部で生成されたミストを吐出するミスト吐出部とを有する。
【００４３】
この本発明のバーナーによれば、可燃性液体（重油や灯油など）をミスト状にすることで、燃焼効率を高めることができる。燃焼効率が高まる結果として、燃料使用量を抑制することが可能である。従って、地方自治体などの運営している大規模焼却炉などにこのバーナーを設備すれば、廃棄物処理コストを低減することができる。また、粗悪油を燃料とすることもでき、燃料コストを低減することができる。
【００４４】
また、上記第７の目的を達成するためになされた本発明のミサイル回避装置は、クーラント液を供給する液体供給源と、気体を供給する気体供給源と、前記液体供給源から供給されるクーラント液を液滴化して導入すると共に、前記気体供給源から供給される気体を、前記液滴の飛翔方向に対して対向する方向から衝突させることによって液滴を分断して微細な液体粒子からなるミストを生成するミスト生成部と、該ミスト生成部で生成されたミストを機体の後方に向かって噴霧するミスト噴霧手段とを有し、ジェット機に搭載されるものである。
【００４５】
この本発明のミサイル回避装置によれば、水などのクーラント液をミスト化して機体後方に噴霧することで熱源に向かって飛来する赤外線追尾型のミサイルに対するカモフラージュ効果を発揮する。
【００４６】
また、上記第８の目的を達成するためになされた本発明の工作機械用冷却装置は、クーラント液を供給する液体供給源と、気体を供給する気体供給源と、前記液体供給源から供給されるクーラント液を液滴化して導入すると共に、前記気体供給源から供給される気体を、前記液滴の飛翔方向に対して対向する方向から衝突させることによって液滴を分断して微細な液体粒子からなるミストを生成するミスト生成部と、該ミスト生成部で生成されたミストを加工部位に向かって噴霧するミスト噴霧手段とを有する。
【００４７】
この本発明の工作機械用冷却装置によれば、ミスト化したクーラント液でワークや加工工具等を冷却することができる。そして、このとき使用するクーラント液の量を抑えることができるので、工作機械の清掃等が容易になるという効果も発揮される。
【００４８】
【発明の実施の形態】
以下、本発明の実施の形態としてのミスト生成方法及びミスト生成装置について説明する。図１は、第１の実施の形態としてのミスト生成装置を示す。図示の様に、このミスト生成装置１は、液体チャンバー２と、気体チャンバー３と、ミストチャンバー４と、加速室５と、流速調整バルブ６とを備え、液体チャンバー２とミストチャンバー４との隔壁には多数の細孔７が形成されると共に、ミストチャンバー４と加速室５との隔壁にも多数の細孔８が形成され、さらに、気体チャンバー３と加速室５との間に、狭いギャップ９が形成されている。
【００４９】
液体チャンバー２内の液体は、液体チャンバー２とミストチャンバー４との隔壁に形成された細孔７を介して、ベクトルＶｌｉｑｕｉｄで示される速度及び方向にてミストチャンバー４内に導入され、液滴となる。一方、気体チャンバー３内の気体は、ギャップ９を介して、ベクトルＶｇｕｓ　で示される速度及び方向にてミストチャンバー４内に導入される。そして、この気流が、液滴の飛翔方向に対して交差する方向から液滴に衝突し、液滴を分断して微細な水粒子からなるミストを形成する。また、気体チャンバー３内の気体は、流速調整バルブ６と加速室５との隙間を介して加速室５に導入される。この際、気体は加速される。こうして高速で気体が加速室５内を通過することにより、ミストチャンバー４内に生成されたミストは、ミストチャンバー４と加速室５との隔壁の細孔８を介して加速室５内に吸い出され、気体に乗って吐出口１０から吐出される。
【００５０】
ここで、この実施の形態では、Ｖｇｕｓ　は、図示の矢印の長さから分かる様に、Ｖｌｉｑｕｉｄよりも大きい。この結果、ミストチャンバー４内では、液滴に気流が強く衝突し、液滴を非常に微細な水粒子に分断することができる。また、液体チャンバー２の内圧は、約８ｂａｒ程度である。また、気体チャンバー３の内圧も約８ｂａｒ程度である。そして、ミストチャンバー４内の内圧は、約６ｂａｒ程度になる。そして、加速室５の内圧は５ｂａｒ未満になる。
【００５１】
次に、第２の実施の形態について説明する。図２は、第２の実施の形態としてのミスト生成装置を示す。図示の様に、このミスト生成装置１１は、液体チャンバー１２と、気体チャンバー１３と、ミスト発生スペース１４とを備え、液体チャンバー１２の前端壁には多数の細孔１５が形成されると共に、気体チャンバー１３のＴ字型頭部の後端壁にも多数の細孔１６が形成されている。ここで、図示の様に、この実施の形態のミスト生成装置１１では、ミスト発生スペース１４内において、液滴に正面から気流が衝突する様になっている。
【００５２】
また、液滴の速度ベクトルＶｌｉｑｕｉｄと気流の速度ベクトルＶｇｕｓ　とを比べると、Ｖｇｕｓ　がＶｌｉｑｕｉｄよりも大きい。従って、液滴は、高速の気流に正面から衝突されることになり、非常に微細な水粒子に分断される。そして発生したミストは、ミスト発生スペース１４の出口１７から大気中に噴出する。このとき、気流がミスト発生スペース１４からミストを噴き出させる役目を果たす。
【００５３】
次に、第３の実施の形態について説明する。図３は、第３の実施の形態としてのミスト生成装置を示す。図示の様に、このミスト生成装置２１は、液体チャンバー２２と、気体チャンバー２３と、ミスト発生スペース２４とを備え、液体チャンバー２２の前端壁には多数の細孔２５が形成されると共に、気体チャンバー２３のキノコ型頭部の後端壁にも多数の細孔２６が形成されている。ここで、図示の様に、この実施の形態のミスト生成装置２１では、ミスト発生スペース２４内において、液滴に正面から気流が衝突する様になっている。
【００５４】
また、液滴の速度ベクトルＶｌｉｑｕｉｄと気流の速度ベクトルＶｇｕｓ　とを比べると、Ｖｇｕｓ　がＶｌｉｑｕｉｄよりも大きい。従って、液滴は、高速の気流に正面から衝突されることになり、非常に微細な水粒子に分断される。そして発生したミストは、ミスト発生スペース２４の出口２７から大気中に噴出する。このとき、気流がミスト発生室２４からミストを噴き出させる役目を果たす。
【００５５】
次に、本発明を適用した消火システムに関する実施の形態を説明する。この消火シスムは、図４に示す様に、ボンベユニット３０と、ホース４１，４２と、消火銃５０とから構成される。ボンベユニット３０は、圧力ボンベ３１と、水タンク３２と、これらを搭載するキャリヤ３３とを備えている。圧力ボンベ３１は、容量６．５リットルで、内部に圧縮空気を収納している。水タンク３２は、容量５０リットルで、内部に水を収納している。圧力ボンベ３１内に収納される圧縮空気は、７〜８ｂａｒ（０．７〜０．８ＭＰａ）と低圧である。この圧力タンク３１内の圧縮空気を水タンク３２に送り込むことにより、ウォーターホース３１を介して水タンク３２から消火銃５０へと水を送出することができる様になっている。また、圧力ボンベ３１内の圧縮空気は、さらに、エアホース４２を介して消火銃５０へと送出される様になっている。ここで、水も空気も０．７〜０．８ＭＰａ（と低圧なので、ホース４１，４２は高圧ホースとする必要はない。
【００５６】
消火銃５０は、図５に示す様に、本体５１と、本体５１から前方に伸びる第１の口金５２と、この第１の口金５２を本体５１に固定するためのネジ付きキャップ５３と、第１の口金５２の先端に取り付けられる第２の口金５４と、この第２の口金５４を第１の口金５２に固定するためのネジ付きキャップ５５と、第２の口金５４の先端に着脱自在に螺合されるノズル付きキャップ５６と、本体５１の下方に伸びる握り５７と、本体の上方で揺動自在に取り付けられるトリガレバー５８とを備えている。
【００５７】
本体５１の内部には、図６に示す様に、ウォーターホース４１を固定するウォーターインレット６１と、エアホース４２を固定するエアインレット６２と、トリガレバー５８の揺動中心に取り付けられ、上述のインレット６１，６２を開放状態と閉鎖状態とで切り替えるための貫通孔が形成されたバルブ軸６３，６３と、インレット６１，６２の前方に取り付けられているＮｏ．１ブロック６４と、このＮｏ．１ブロック６１の前方に取り付けられるＮｏ．２ブロック６５と、このＮｏ．２ブロック６５の中心に挿入された状態でＮｏ．１ブロック６４に取り付けられるＮｏ．３ブロック６６と、このＮｏ．３ブロック６６の先端側に固定されるＮｏ．４ブロック６７と、このＮｏ．４ブロック６７と第２の口金５４の後端とで前後を挟まれ、第１の口金５３に嵌合固定されるスリーブ部品６８とを備えている。
【００５８】
Ｎｏ．１ブロック６４には、ウォーターインレット６１及びエアインレット６２にそれぞれ別々に連通する流路７１，７２が形成されている。ウォーター用の流路７１は、Ｎｏ．１ブロック６４内を真っ直ぐに貫通している。エア用の流路７２は、図７に示す様に、Ｎｏ．１ブロック６４内を前方へ向かって伸びる第１部分７３と、この第１部分７３からＮｏ．１ブロック６４の中心方向に枝分かれする第２部分７４と、この第２部分７４の先に形成されるエアチャンバー７５と、第１部分７５からＮｏ．１ブロック６４の外周方向に枝分かれする第３部分７６と、この第３部分７６からさらに前方に伸びる第４部分７７と、この第４部分７７の前端に形成されるリング状窪み７８とから構成されている。
【００５９】
Ｎｏ．２ブロック６５は、その中心に、大径穴７９と、この大径穴７９よりも細い前方穴８０とから段付きの穴が形成され、筒状の構造となっている。
【００６０】
Ｎｏ．３ブロック６６は、図８（Ａ）に示す様に、前端側に形成された第１の窪み８１と、この第１の窪み８１の中心部分に形成された第２の窪み８２と、この第２の窪み８２の後壁の中心に形成された絞り弁嵌合穴８３と、この絞り弁嵌合穴８３の後方に形成された第３の窪み８４と、第２の窪み８２に連通し、絞り弁嵌合穴８４の周囲に形成される複数の貫通穴８５，８５と、第１の窪み８１の後壁の外周近くに形成される複数のエア噴出用貫通孔８６，８６と、このエア噴出用貫通孔８６，８６の開口部に形成されるリング状窪み８７とを備えている。また、このリング状窪み８７の外周側壁面の前端面には、図８（Ｂ）に示す様に、斜め３０度の角度で斜め溝８８が、円周方向に多数形成されている。
【００６１】
Ｎｏ．４ブロック６７は、図７に示す様に、中心に絞り弁収容スペースとなり、前端側に向かって細くなるコーン状貫通穴８９を備えている。
【００６２】
そして、図６，図７に示す様に、絞り弁９０が、Ｎｏ．１ブロック６４、Ｎｏ．３ブロック６６及びＮｏ．４ブロック６７によって形成される絞り弁収納スペースに収納されている。また、Ｎｏ．１ブロック６４のリング状窪み７８と、Ｎｏ．２ブロック６５の大径穴７９とによって形成されるスペースには、Ｎｏ．１ブロック６４とＮｏ．２ブロック６５に前後を挟まれる様にしてスプレイプレート部材９１が収納されている。このスプレイプレート部材９１は、図９に示す様に、小径の短円筒部９２と、この大径の短円筒部９３と、これら短円筒部９２，９３の間を埋めるリングプレート部９４とを備えたものである。そして、このリングプレート部９４には、多数の細孔９５が貫通されている。
【００６３】
また、スリーブ部品６８は、図１０に示す様に、後端側から所定範囲について、多数の細孔９６が形成されている。
【００６４】
以上の様な部品構成により、消火銃５０の内部には、図７に示す様に、ウォーターチャンバー１０１と、エアチャンバー１０２と、ミストチャンバー１０３と、吐出流路１０４とが形成される。エアチャンバー１０２は、ウォーターチャンバー１０１の周囲を取り囲み、その前端部がミストチャンバー１０３にかかる様に構成されるリング状を呈している。
【００６５】
そして、ウォーターホース４１を介して消火銃５０に供給された水は、ウォーターインレット６１を通ってウォーターチャンバー１０１内に充満し、スプレイプレート部材９１の細孔９５を通過することにより、ミストチャンバー１０３内に噴霧される。
【００６６】
一方、エアホース４２からエアインレット６２を介して消火銃５０に供給された圧縮空気は、Ｎｏ．１ブロック６４の流路７２を構成する第１部分７３、第３部分７６、及び第４部分７７を通って、エアチャンバー１０２内に充満し、Ｎｏ．３ブロック６６に形成された斜め溝８８とスプレイプレート部材９１とによって形成される斜めの狭い溝形通路を通ってミストチャンバー１０３内に吐出される。このとき、斜め溝８８が接線に対して斜め３０度に形成されている効果により、圧縮空気は、ミストチャンバー１０３内にスパイラルフローを形成する。
【００６７】
この結果、ミストチャンバー１０３内に噴霧された水滴は、その飛翔方向に対して垂直な方向からスパイラルフローとなった圧縮空気に衝突されて分割され、細かなミスト状の粒子に変化する。この結果、ミストチャンバー１０３内には、微細な水粒子からなるミストが発生する。
【００６８】
また、エアホース４２からエアインレット６２を介して本体５１内に流入するエアの残りは、エア用流路７２を構成する第１部分７３、第２部分７４、及びエアチャンバー７５と、Ｎｏ．３ブロック６６の窪み８７、及びエア噴出用貫通穴８６，８６とを介してＮｏ．４ブロック６７内のコーン状貫通穴８９に流入する。そして、このコーン状貫通穴８９内に収納されている絞り弁９０によって出口が絞られる結果として、流速が増大した状態となり、ミストチャンバー１０３の内側壁を構成するスリーブ部品６８の中心穴内に流入する。
【００６９】
すると、流速の増大によってスリーブ部品６８の内側の圧力の方が相対的に負圧となり、ミストチャンバー１０３内に発生したミストが、スリーブ部材の細孔９６を通してスリーブ部品６８の内側空間に吸い出され、これが吐出口へ向かうエアフローに乗って勢い良く吐出される。こうして、本実施の形態のミスト消火システムによれば、微細なミストが高速で吐出される結果、ミストの到達距離は１７メートルを越える程になる。これは、微細なミストとなることにより、一つ一つの水粒子が小さなマスとなりる結果、７〜８ｂａｒ程度の低圧のエアによるエアフローによって遠くまで飛ばすことができる様になったからである。
【００７０】
こうして遠くまで吐出されたミストが、火災に対して、有効な消火を行う。その理由の一つは、ミストとなって多くの微細な水粒子の集合となった状態で炎を包み込むので、冷却効果と共に、空気遮断効果が高くなるからである。また、７〜８ｂａｒ程度の低圧の圧縮空気を使用しているだけなので、ミストによる建物や家具等への衝撃は小さく、これらを破壊することがない。さらに、ミストと共に空気が火災現場へ送り込まれるので、ビル火災などの際に室内に取り残された人に対する空気の供給源ともなる。なお、空気が送り込まれるのであるが、ミストが炎を覆い隠すので、炎に対する酸素供給源とはならない。以上の効果として、本実施の形態のミスト消火システムによれば、効果的な消火活動を行うことができる。
【００７１】
なお、実際に、３５ｍｍ×３５ｍｍ×９００ｍｍの木材を、１５０ｍｍピッチで組み立てて、全体の大きさが９００ｍｍ×９００ｍｍ×９００ｍｍの木のプリズムを用いて、消火実験を行ったところ、この木のプリズムに６リットルのガソリンをかけて点火し、３分待って大きな炎のかたまりを作りだし、この炎を本実施の形態の消火システムにて消火したところ、１５秒で完全に消火することができた。なお、このときの水の使用量は、０．７リットル／ｓｅｃであった。また、消火中も、消火完了時も、木のプリズム自体は、木材をただ組んだだけなのに崩れることがなかった。
【００７２】
以上、本発明の一実施の形態について説明したが、本発明は上述した実施の形態に限られることなく、その要旨を逸脱しない範囲内において、さらに種々の態様にて実施することができる。
【００７３】
例えば、第４の実施の形態において、水の代わりに、消火液を用いる様にしても構わない。
【００７４】
また、第４の実施の形態の様なキャリヤ搭載形の小型の消火システムではなく、消防車両に搭載した大型の消火システムとして実施することもできる。特に、この様な車両搭載型としたときに、トンネル火災に効果的である。それは、トンネル火災の場合、トンネル内に取り残された人に対する酸素の供給が必要になるが、本発明を適用し、気体として空気を使用すれば、ビル火災について上述した通り、取り残された人に対する酸素供給装置としても効果を発揮するからである。
【００７５】
さらに、図２で示した様なタイプのミスト発生装置は、ビルの天井等に配置することで、高い消火能力と、水使用量の節約とを達成し、かつ、人や器物に対する損傷を与えない消火用スプリンクラーとして実施することができる。
【００７６】
また、本発明は、消火用に限らず、農業用の農薬や植物活性剤などの散布システムに適用すれば、農薬使用量を抑制することで農作業をする人の健康を守り、作物に対しては損傷を防止し、それにも拘わらず殺菌・殺虫効果の高い農薬散布を実現することができる。また、農業用灌水装置としても本発明で生成したミストを使用することができる。
【００７７】
さらに、本発明は、液体として可燃物を使用することで、バーナーに応用することもできる。この場合、気体も可燃ガスとしてもよい。ミスト化を容易に実現するので、燃焼効率を高めることができる。従って、ジェットエンジンの燃料噴射部分などへの適用が有効である。
【００７８】
加えて、ジェット戦闘機の赤外線追尾型ミサイル防止システムとしても本発明は有効である。これは、本発明のミスト発生システムをジェット戦闘機に搭載し、水と空気でミストを発生させ、戦闘機の後尾からこれを噴霧することで、エンジンから噴出された燃焼ガスを空中で冷却し、ミサイルのセンサに見つかり難くすることが可能だからである。
【００７９】
【発明の効果】
以上説明した様に、本発明によれば、種々の分野に応用可能なミスト生成方法を提供することがＤけいる。
【００８０】
また、本発明によれば、種々の分野に応用可能な新規なミスト生成装置を提供することができる。
【００８１】
また、本発明によれば、消火の際に建物等に損傷を与えることなく、遠くまで消火用の液体を飛翔させることができる消火システムを提供することができる。
【００８２】
さらに、本発明によれば、消火効率の高い消火用スプリンクラーを提供することができる。
【００８３】
加えて、本発明によれば、薬剤散布効率の高い農薬散布装置を提供することができる。
【００８４】
加えて、本発明によれば、農業用水を節約できる農業用灌水システムを提供することができる。
【００８５】
加えて、本発明によれば、燃焼効率の高いバーナーを提供することができる。
【００８６】
加えて、本発明によれば、赤外線追尾ミサイルを回避するためのミサイル回避装置を提供することができる。
【００８７】
加えて、本発明によれば、工作機械における冷却効果を高めることができる。
【図面の簡単な説明】
【図１】第１の実施の形態としてのミスト生成装置の構成を示す断面図である。
【図２】第２の実施の形態としてのミスト生成装置の構成を示す断面図である。
【図３】第３の実施の形態としてのミスト生成装置の構成を示し、（Ａ）は平面図、（Ｂ）は断面図である。
【図４】第４の実施の形態としての消火システムの全体の外観を示す正面図である。
【図５】第４の実施の形態としての消火システムを構成する消火銃の外観を示す正面図である。
【図６】第４の実施の形態としての消火システムを構成する消火銃の内部を示す水平断面図である。
【図７】図６の拡大図である。
【図８】第４の実施の形態としての消火システムを構成する部品の構造を示し、（Ａ）は断面図、（Ｂ）は端面図である。
【図９】第４の実施の形態としての消火システムを構成する部品の構造を示し、（Ａ）は断面図、（Ｂ）は平面図である。
【図１０】第４の実施の形態としての消火システムを構成する部品の構造を示す断面図である。
【符号の説明】
１・・・ミスト生成装置
２・・・液体チャンバー
３・・・気体チャンバー
４・・・ミストチャンバー
５・・・加速室
６・・・流速調整バルブ
７・・・細孔
８・・・細孔
９・・・ギャップ
１０・・・吐出口
１１・・・ミスト生成装置
１２・・・液体チャンバー
１３・・・気体チャンバー
１４・・・ミスト発生スペース
１５・・・細孔
１６・・・細孔
１７・・・出口
２１・・・
２２・・・液体チャンバー
２３・・・気体チャンバー
２４・・・ミスト発生スペース
２５・・・細孔
２６・・・細孔
２７・・・出口
３０・・・ボンベユニット
３１・・・圧力ボンベ
３２・・・水タンク
３３・・・キャリヤ
４１・・・
４２・・・
５０・・・消火銃
５１・・・本体
５２・・・第１の口金
５３・・・ネジ付きキャップ
５４・・・第２の口金
５５・・・ネジ付きキャップ
５６・・・ノズル付きキャップ
５７・・・握り
５８・・・トリガレバー
６１・・・ウォーターインレット
６２・・・エアインレット
６３・・・バルブ軸
６４・・・Ｎｏ．１ブロック
６５・・・Ｎｏ．２ブロック
６６・・・Ｎｏ．３ブロック
６７・・・Ｎｏ．４ブロック
６８・・・スリーブ部品
７１・・・ウォーター用の流路
７２・・・エア用の流路
７３・・・第１部分
７４・・・第２部分
７５・・・エアチャンバー
７６・・・第３部分
７７・・・第４部分
７８・・・リング状窪み
７９・・・大径穴
８０・・・前方穴
８１・・・第１の窪み
８２・・・第２の窪み
８３・・・絞り弁嵌合穴
８４・・・第３の窪み
８５・・・貫通穴
８６・・・エア噴出用貫通孔
８７・・・リング状窪み
８８・・・斜め溝
８９・・・コーン状貫通穴
９０・・・絞り弁
９１・・・スプレイプレート部材
９２・・・小径の短円筒部
９３・・・大径の短円筒部
９４・・・リングプレート部
９５・・・細孔
９６・・・細孔
１０１・・・ウォーターチャンバー
１０２・・・エアチャンバー
１０３・・・ミストチャンバー
１０４・・・吐出流路
【図１】
2004050128.tif 000003
【図２】
2004050128.tif 000004
【図３】
2004050128.tif 000005
【図４】
2004050128.tif 000006
【図５】
2004050128.tif 000007
【図６】
2004050128.tif 000008
【図７】
2004050128.tif 000009
【図８】
2004050128.tif 000010
【図９】
2004050128.tif 000011
【図１０】
2004050128.tif 000012